(57)【要約】【課題】第１基板上に設けられたコントローラと第２基板上に設けられた電子回路とを互いに電気的に接続する複数の信号経路の長さの差を減少させる。【解決手段】第３信号パッド４７ｐと第４信号パッド４８ｐとは、スリット４４と第２側部４１ｄとの間に設けられている。第３信号配線４７はスリット４４の第３縁４４ｃを迂回し、第４信号配線４８はスリット４４の第４縁４４ｄを迂回している。第１導電接合部材７１ａは、第１信号パッド２４ｐと第３信号パッド４７ｐとを互いに接合している。第２導電接合部材７１ｂは、第２信号パッド２５ｐと第４信号パッド４８ｐとを互いに接合している。【選択図】図２
2020150042.tif 000002
【特許請求の範囲】
【請求項１】
第１基材と、第１信号配線と、第２信号配線とを含む第１配線基板と、
第２基材と、第３信号配線と、第４信号配線とを含む第２配線基板と、
電子回路と、
前記電子回路を制御するように構成されているコントローラと、
第１導電接合部材と、
第２導電接合部材とを備え、
前記第１基材は、第１主面と、前記第１主面とは反対側の第２主面と、前記第１主面と前記第２主面とを接続する端面とを含み、かつ、前記端面から突出する第１突出部分を含み、
前記コントローラは、前記第１突出部分を除く前記第１配線基板上に搭載されており、
前記第１信号配線は、前記第１突出部分上に設けられている第１信号パッドを含み、かつ、前記コントローラから前記第１信号パッドまで延在しており、
前記第２信号配線は、前記第１突出部分上に設けられている第２信号パッドを含み、かつ、前記コントローラから前記第２信号パッドまで延在しており、
前記第２基材は、第３主面と、前記第３主面とは反対側の第４主面と、前記第３主面と前記第４主面とを接続する第１側部と、前記第３主面と前記第４主面とを接続し、かつ、前記第１側部に対向する第２側部とを含み、
前記第２基材には、前記第３主面から前記第４主面まで延在するスリットが設けられており、前記スリットは、前記第１側部及び前記第２側部に沿って延在しており、
前記第１基材の前記第１突出部分は、前記スリットに挿入されており、
前記スリットは、前記第２側部及び前記第１主面に対向する第１縁と、前記第１側部及び前記第２主面に対向する第２縁と、前記第１縁と前記第２縁とを接続する第３縁と、前記第１縁と前記第２縁とを接続し、かつ、前記第３縁に対向する第４縁とを含み、
前記電子回路は、前記第２配線基板上に搭載されており、かつ、前記第１側部と前記スリットの前記第２縁との間に配置されており、
前記第３主面及び前記第４主面の一方は、前記第１基材の前記端面に面しており、
前記第３信号配線及び前記第４信号配線は、前記第３主面上に設けられており、
前記第３信号配線は、前記第２側部と前記スリットの前記第１縁との間に設けられている第３信号パッドを含み、かつ、前記スリットの前記第３縁を迂回して、前記電子回路から前記第３信号パッドまで延在しており、
前記第４信号配線は、前記第２側部と前記スリットの前記第１縁との間に設けられている第４信号パッドを含み、かつ、前記スリットの前記第４縁を迂回して、前記電子回路から前記第４信号パッドまで延在しており、
前記第１導電接合部材は、前記第１信号配線の前記第１信号パッドと前記第３信号配線の前記第３信号パッドとを互いに接合しており、
前記第２導電接合部材は、前記第２信号配線の前記第２信号パッドと前記第４信号配線の前記第４信号パッドとを互いに接合している、プリント配線装置。
【請求項２】
前記第１信号配線及び前記第２信号配線は、前記第１主面上に設けられており、
前記第４主面は、前記第１基材の前記端面に面しており、
前記第１基材の前記第１突出部分は、前記第２基材を貫通しており、
前記第１信号パッドは、前記第３主面に面しており、
前記第２信号パッドは、前記第３主面に面している、請求項１に記載のプリント配線装置。
【請求項３】
前記第２配線基板は、第１導電パッドと、第２導電パッドとを含み、
前記第１導電パッドは、前記第４主面上に設けられており、かつ、前記第３信号パッドに対向しており、
前記第２導電パッドは、前記第４主面上に設けられており、かつ、前記第４信号パッドに対向しており、
前記第１信号パッドは、前記第４主面にさらに面しており、
前記第２信号パッドは、前記第４主面にさらに面しており、
前記第１導電接合部材は、さらに、前記第１信号パッドと前記第１導電パッドとを互いに接合しており、
前記第２導電接合部材は、さらに、前記第２信号パッドと前記第２導電パッドとを互いに接合している、請求項２に記載のプリント配線装置。
【請求項４】
第３導電接合部材と、
第４導電接合部材とをさらに備え、
前記第１配線基板は、第１電源配線と、第１接地配線とを含み、
前記第１電源配線は、前記第１突出部分上に設けられており、かつ、前記第４主面に面している第１電源パッドを含み、
前記第１電源配線は、前記コントローラから前記第１電源パッドまで延在しており、
前記第１接地配線は、前記第１突出部分上に設けられており、かつ、前記第４主面に面している第１接地パッドを含み、
前記第１接地配線は、前記コントローラから前記第１接地パッドまで延在しており、
前記第２配線基板は、第２電源配線と、第２接地配線とを含み、
前記第２電源配線及び前記第２接地配線は、前記第４主面上に設けられており、
前記第２電源配線は、第２電源パッドを含み、かつ、前記電子回路から前記第２電源パッドまで延在しており、
前記第２接地配線は、第２接地パッドを含み、かつ、前記電子回路から前記第２接地パッドまで延在しており、
前記第３導電接合部材は、前記第１電源配線の前記第１電源パッドと前記第２電源配線の前記第２電源パッドとを互いに接合しており、
前記第４導電接合部材は、前記第１接地配線の前記第１接地パッドと前記第２接地配線の前記第２接地パッドとを互いに接合している、請求項２または請求項３に記載のプリント配線装置。
【請求項５】
前記第１電源配線及び前記第１接地配線は、前記第１主面上に設けられており、
前記第２電源配線は、前記スリットの前記第３縁を迂回して、前記電子回路から前記第２電源パッドまで延在しており、
前記第２接地配線は、前記スリットの前記第４縁を迂回して、前記電子回路から前記第２接地パッドまで延在しており、
前記第２電源パッド及び前記第２接地パッドは、前記スリットの前記第１縁に沿って配列されている、請求項４に記載のプリント配線装置。
【請求項６】
前記第２配線基板は、第３導電パッドと、第４導電パッドとを含み、
前記第３導電パッドは、前記第３主面上に設けられており、かつ、前記第２電源パッドに対向しており、
前記第４導電パッドは、前記第３主面上に設けられており、かつ、前記第２接地パッドに対向しており、
前記第１電源パッドは、前記第３主面にさらに面しており、
前記第１接地パッドは、前記第３主面にさらに面しており、
前記第３導電接合部材は、さらに、前記第１電源パッドと前記第３導電パッドとを互いに接合しており、
前記第４導電接合部材は、さらに、前記第１接地パッドと前記第４導電パッドとを互いに接合しており、
前記第３信号配線は、前記第３導電パッドをさらに迂回しており、
前記第４信号配線は、前記第４導電パッドをさらに迂回している、請求項５に記載のプリント配線装置。
【請求項７】
前記第３信号配線及び前記第４信号配線は、前記スリットの前記第１縁に直接対向している、請求項５に記載のプリント配線装置。
【請求項８】
前記第１基材は、前記端面から突出している第２突出部分及び第３突出部分をさらに含み、
前記第２突出部分及び前記第３突出部分は、前記第１突出部分から離れており、
前記第１突出部分は、前記第２突出部分と前記第３突出部分との間にあり、
前記第２突出部分は、前記第１突出部分に面する第３側部を含み、
前記第３突出部分は、前記第１突出部分に面する第４側部を含み、
前記第２突出部分は、前記第３側部に第１係止部を含み、
前記第３突出部分は、前記第４側部に第２係止部を含み、
前記第１係止部及び前記第２係止部は、前記第２配線基板に係合して、前記第１突出部分が前記端面から突出する方向において、前記第１配線基板に対して前記第２配線基板を位置決めしている、請求項１から請求項７のいずれか一項に記載のプリント配線装置。
【発明の詳細な説明】
【技術分野】
【０００１】
本発明は、プリント配線装置に関する。
【背景技術】
【０００２】
特許第４３１４８０９号明細書（特許文献１）は、母基板と補助基板とを有する電子装置を開示している。母基板には、スリットが設けられている。母基板上に、複数の第１端子パッドが設けられている。複数の第１端子パッドは、スリットの両側に配置されている。補助基板のおもて面と裏面とに、複数の第２端子バッドが設けられている。補助基板は、母基板に設けられたスリットに挿入されている。複数の第１端子パッドと対応する複数の第２端子パッドとは、はんだを用いて接続されている。
【先行技術文献】
【特許文献】
【０００３】
【特許文献１】特許第４３１４８０９号明細書
【発明の概要】
【発明が解決しようとする課題】
【０００４】
本発明の目的は、第１基板上に設けられたコントローラと第２基板上に設けられた電子回路とを互いに電気的に接続する複数の信号経路の長さの差を減少し得るプリント配線装置を提供することである。
【課題を解決するための手段】
【０００５】
本発明のプリント配線装置は、第１配線基板と、第２配線基板と、電子回路と、コントローラと、第１導電接合部材と、第２導電接合部材とを備える。第１配線基板は、第１基材と、第１信号配線と、第２信号配線とを含む。第１基材は、第１突出部分を含む。第１信号配線は、第１突出部分上に設けられている第１信号パッドを含む。第２信号配線は、第１突出部分上に設けられている第２信号パッドを含む。第２配線基板は、第２基材と、第３信号配線と、第４信号配線とを含む。第２基材は、第１側部と、第２側部とを含む。第２基材には、スリットが設けられている。スリットは、第１側部及び第２側部に沿って延在している。第１基材の第１突出部分は、スリットに挿入されている。第３主面及び第４主面の一方は、第１基材の端面に面している。第３信号配線は、第２側部とスリットとの間に設けられている第３信号パッドを含む。第３信号配線は、スリットの第３縁を迂回して、電子回路から第３信号パッドまで延在している。第４信号配線は、第２側部とスリットとの間に設けられている第４信号パッドを含む。第４信号配線は、スリットの第４縁を迂回して、電子回路から第４信号パッドまで延在している。第１導電接合部材は、第１信号パッドと第３信号パッドとを互いに接合している。第２導電接合部材は、第２信号パッドと第４信号パッドとを互いに接合している。
【発明の効果】
【０００６】
第３信号パッドと第４信号パッドとは、ともに、スリットの第１縁と第２基材の第２側部との間に設けられている。第３信号配線はスリットの第３縁を迂回し、第４信号配線は第３縁とは反対側のスリットの第４縁を迂回している。そのため、コントローラから電子回路に至る第１信号経路（第１信号配線と、第１導電接合部材と、第３信号配線）の長さと、コントローラから電子回路に至る第２信号経路（第２信号配線と、第２導電接合部材と、第４信号配線）の長さとの間の差が減少する。
【図面の簡単な説明】
【０００７】
【図１】実施の形態１のプリント配線装置の回路図である。
【図２】実施の形態１のプリント配線装置の概略正面図である。
【図３】実施の形態１のプリント配線装置の概略底面図である。
【図４】実施の形態１のプリント配線装置に含まれる第２配線基板の概略正面図である。
【図５】実施の形態１のプリント配線装置に含まれる第２配線基板の概略背面図である。
【図６】実施の形態１のプリント配線装置の、図２に示される断面線ＶＩ−ＶＩにおける概略断面図である。
【図７】実施の形態１のプリント配線装置の、図２に示される断面線ＶＩＩ−ＶＩＩにおける概略断面図である。
【図８】実施の形態１のプリント配線装置の製造方法の一工程を示す概略断面図である。
【図９】実施の形態１のプリント配線装置の製造方法における、図８に示される工程の次工程を示す概略断面図である。
【図１０】実施の形態２のプリント配線装置の概略正面図である。
【図１１】実施の形態２のプリント配線装置の概略底面図である。
【図１２】実施の形態２のプリント配線装置に含まれる第２配線基板の概略正面図である。
【図１３】実施の形態２のプリント配線装置に含まれる第２配線基板の概略背面図である。
【図１４】実施の形態２のプリント配線装置の、図１０に示される断面線ＸＩＶ−ＸＩＶにおける概略断面図である。
【図１５】実施の形態２のプリント配線装置の、図１０に示される断面線ＸＶ−ＸＶにおける概略断面図である。
【図１６】実施の形態３のプリント配線装置の概略正面図である。
【図１７】実施の形態３のプリント配線装置の概略底面図である。
【発明を実施するための形態】
【０００８】
以下、本発明の実施の形態を説明する。なお、同一の構成には同一の参照番号を付し、その説明は繰り返さない。
【０００９】
実施の形態１．
図１を参照して、実施の形態１のプリント配線装置１の回路構成の一例を説明する。プリント配線装置１は、例えば、発光ダイオード（ＬＥＤ）５の発光状態を制御する制御装置である。プリント配線装置１はプリンタに用いられ、ＬＥＤ５はプリンタの状態（例えば、プリンタの電源のオン状態もしくはオフ状態、プリンタのデータ受信状態、プリンタのインクの有無、紙の有無、または、紙詰まりの有無）を表示する。
【００１０】
プリント配線装置１は、コントローラ３と、電子回路４と、ＬＥＤ５とを含む。コントローラ３は、電子回路４を制御するように構成されている。コントローラ３は、例えば、電子回路４と同じ規格のシリアルインタフェースを備えるマイコンである。電源配線１０は、コントローラ３と電子回路４と電源６とを互いに電気的に接続している。電源６は、電位ＶCC（例えば、５Ｖ）を、電子回路４とコントローラ３とに供給するように構成されている。接地配線１１は、接地７と電子回路４とコントローラ３とを互いに電気的に接続している。信号配線１２ａ，１２ｂは、各々、コントローラ３と電子回路４とを互いに電気的に接続している。電子回路４は、例えば、シリアルインタフェースを備えるＬＥＤ用ドライバーＩＣ（タイタンマイクロエレクトロニクス社製の型番ＴＭ１６３７）である。電子回路４は、配線１４，１５を用いて、ＬＥＤ５に電気的に接続されている。
【００１１】
プリント配線装置１は、抵抗８ａ，８ｂと、コンデンサ９ａ，９ｂ，９ｃ，９ｄとをさらに含んでもよい。抵抗８ａとコンデンサ９ａとは、互いに直列接続されている。抵抗８ａ及びコンデンサ９ａは、電源配線１０と接地配線１１とに接続されている。抵抗８ｂとコンデンサ９ｂとは、互いに直列接続されている。抵抗８ｂ及びコンデンサ９ｂは、電源配線１０と接地配線１１とに接続されている。コンデンサ９ｃは、電源配線１０と接地配線１１とに接続されている。コンデンサ９ｄは、電源配線１０と接地配線１１とに接続されている。
【００１２】
コントローラ３は、２本の信号配線１２ａ，１２ｂを用いて、シリアル通信方式で、電子回路４に制御信号を送信する。２本の信号配線１２ａ，１２ｂの電位は、シリアル通信における二進数の信号に応じて、電源配線１０の電位ＶCCと、接地配線１１の接地電位との間で切り替えられる。コントローラ３は、抵抗８ａ，８ｂと，コンデンサ９ａ，９ｂ，９ｃ，９ｄとを用いて、２本の信号配線１２ａ，１２ｂの電位を切り替える。
【００１３】
図２から図７を参照して、実施の形態１に係るプリント配線装置１を説明する。プリント配線装置１は、第１配線基板２０と、第２配線基板４０と、コントローラ３と、電子回路４と、第１導電接合部材７１ａと、第２導電接合部材７１ｂとを主に備える。プリント配線装置１は、導電接合部材３２と、第３導電接合部材７１ｃと、第４導電接合部材７１ｄとをさらに備えてもよい。導電接合部材３２、第１導電接合部材７１ａ、第２導電接合部材７１ｂ、第３導電接合部材７１ｃ及び第４導電接合部材７１ｄは、各々、例えば、はんだである。
【００１４】
第１配線基板２０は、第１基材２１と、第１信号配線２４と、第２信号配線２５と、第１電源配線２３と、第１接地配線２６とを含む。第１配線基板２０は、配線２７，２８，２９，３０をさらに含んでもよい。配線（第１信号配線２４、第２信号配線２５、第１電源配線２３、第１接地配線２６、配線２７，２８，２９，３０）は、銅のような導電膜である。
【００１５】
第１配線基板２０は、はんだレジスト２２をさらに含んでもよい。はんだレジスト２２は、導電接合部材３２、第１導電接合部材７１ａ、第２導電接合部材７１ｂ、第３導電接合部材７１ｃ及び第４導電接合部材７１ｄが設けられる部分を除いて、第１基材２１第１主面２１ａ、第１信号配線２４、第２信号配線２５、第１電源配線２３、第１接地配線２６及び配線２７，２８，２９，３０を覆っている。
【００１６】
第１基材２１は、電気的絶縁性を有している。第１基材２１は、例えば、ガラスエポキシ基材またはガラスコンポジット基材であってもよい。ガラスエポキシ基材は、例えば、エポキシ樹脂が含浸されたガラス織布を熱硬化することによって形成される。ガラスコンポジット基材は、例えば、エポキシ樹脂が含浸されたガラス不織布を熱硬化することによって形成される。第１配線基板２０は、例えば、片面銅張積層プリント基板である。配線（第１信号配線２４、第２信号配線２５、第１電源配線２３、第１接地配線２６、配線２７，２８，２９，３０）は、第１基材２１に貼り付けられている。
【００１７】
図２、図６及び図７に示されるように、第１基材２１は、第１主面２１ａと、第１主面２１ａとは反対側の第２主面２１ｂと、第１主面２１ａと第２主面２１ｂとを接続する端面２１ｃとを含む。第１主面２１ａ及び第２主面２１ｂは、各々、第１方向（ｘ方向）と、第１方向に垂直な第２方向（ｙ方向）とに延在している。端面２１ｃは、第１方向（ｘ方向）と、第１方向及び第２方向に垂直な第３方向（ｚ方向）とに延在している。第１基材２１は、端面２１ｃから第２方向（ｙ方向）に突出する第１突出部分２１ｇを含む。
【００１８】
コントローラ３は、第１突出部分２１ｇを除く第１配線基板２０上に搭載されている。コントローラ３は、導電接合部材３２を用いて、第１信号配線２４と、第２信号配線２５と、第１電源配線２３と、第１接地配線２６と、配線２７，２８，２９，３０とに接合されている。導電接合部材３２は、例えば、はんだである。
【００１９】
第１信号配線２４は、第１主面２１ａ上に設けられている。第１信号配線２４は、第１突出部分２１ｇ上に設けられている第１信号パッド２４ｐを含む。第１信号パッド２４ｐは、第１信号配線２４のうち第１導電接合部材７１ａが設けられる部分である。第１信号配線２４は、コントローラ３から第１信号パッド２４ｐまで延在している。第１信号パッド２４ｐは、第１突出部分２１ｇを除く第１配線基板２０の部分上にさらに延在してもよい。第１信号パッド２４ｐは、第１信号パッド２４ｐに接続される第１信号配線２４の部分よりも、広い幅を有してもよい。第１信号パッド２４ｐは、第２基材４１の第３主面４１ａに面している。第１信号パッド２４ｐは、第２基材４１の第４主面４１ｂにさらに面してもよい。
【００２０】
第２信号配線２５は、第１主面２１ａ上に設けられている。第２信号配線２５は、第１突出部分２１ｇ上に設けられている第２信号パッド２５ｐを含む。第２信号パッド２５ｐは、第２信号配線２５のうち第２導電接合部材７１ｂが設けられる部分である。第２信号配線２５は、コントローラ３から第２信号パッド２５ｐまで延在している。第２信号パッド２５ｐは、第１突出部分２１ｇを除く第１配線基板２０の部分上にさらに延在してもよい。第２信号パッド２５ｐは、第２信号パッド２５ｐに接続される第２信号配線２５の部分よりも、広い幅を有してもよい。第２信号パッド２５ｐは、第２基材４１の第３主面４１ａに面している。第２信号パッド２５ｐは、第２基材４１の第４主面４１ｂにさらに面してもよい。
【００２１】
第１電源配線２３は、第１主面２１ａ上に設けられている。第１電源配線２３は、第１突出部分２１ｇ上に設けられている第１電源パッド２３ｐを含む。第１電源パッド２３ｐは、第１電源配線２３のうち第３導電接合部材７１ｃが設けられる部分である。第１電源配線２３は、コントローラ３から第１電源パッド２３ｐまで延在している。第１電源配線２３は、第１電源パッド２３ｐから第１基材２１の側面までさらに延在してもよい。第１電源配線２３は、電源６（図１を参照）に電気的に接続されている。第１電源パッド２３ｐは、第１突出部分２１ｇを除く第１配線基板２０の部分上にさらに延在してもよい。第１電源パッド２３ｐは、第１電源パッド２３ｐに接続される第１電源配線２３の部分よりも、広い幅を有してもよい。第１電源パッド２３ｐは、第２基材４１の第４主面４１ｂに面している。第１電源パッド２３ｐは、第２基材４１の第３主面４１ａにさらに面してもよい。
【００２２】
第１接地配線２６は、第１主面２１ａ上に設けられている。第１接地配線２６は、第１突出部分２１ｇ上に設けられている第１接地パッド２６ｐを含む。第１接地パッド２６ｐは、第１接地配線２６のうち第４導電接合部材７１ｄが設けられる部分である。第１接地配線２６は、コントローラ３から第１接地パッド２６ｐまで延在している。第１接地配線２６は、第１接地パッド２６ｐから第１基材２１の別の側面までさらに延在してもよい。第１接地配線２６は、接地７（図１を参照）を電気的に接続されている。第１接地パッド２６ｐは、第１突出部分２１ｇを除く第１配線基板２０の部分上にさらに延在してもよい。第１接地パッド２６ｐは、第１接地パッド２６ｐに接続される第１接地配線２６の部分よりも、広い幅を有してもよい。第１接地パッド２６ｐは、第２基材４１の第４主面４１ｂに面している。第１接地パッド２６ｐは、第２基材４１の第３主面４１ａにさらに面してもよい。
【００２３】
図２から図７に示されるように、第２配線基板４０は、第２基材４１と、第３信号配線４７と、第４信号配線４８と、第２電源配線４６と、第２接地配線４９とを含む。第２配線基板４０は、配線５０，５１，５２，５４，５５，５６と、導電パッド５３と、ビアホール６０，６１，６２，６３とをさらに含む。第２配線基板４０は、第１導電パッド５７ａと、第２導電パッド５７ｂと、第３導電パッド５７ｃと、第４導電パッド５７ｄとをさらに含んでもよい。
【００２４】
配線（第３信号配線４７、第４信号配線４８、第２電源配線４６、第２接地配線４９、配線５０，５１，５２，５４，５５，５６）並びに導電パッド（導電パッド５３、第１導電パッド５７ａ、第２導電パッド５７ｂ、第３導電パッド５７ｃ、第４導電パッド５７ｄ）は、銅のような導電膜である。ビアホール６０，６１，６２，６３は、各々、第２基材４１を貫通する導電体である。ビアホール６０，６１，６２，６３は、各々、第３主面４１ａから第４主面４１ｂまで延在する貫通孔の内表面上に形成された導電膜である。
【００２５】
第２配線基板４０は、はんだレジスト４２，４３をさらに含んでもよい。はんだレジスト４２は、導電接合部材６６、第１導電接合部材７１ａ、第２導電接合部材７１ｂ、第３導電接合部材７１ｃ及び第４導電接合部材７１ｄが設けられる部分とビアホール６０，６１，６２，６３とを除いて、第２基材４１の第３主面４１ａ、第３信号配線４７、第４信号配線４８及び配線５０，５１，５２，５４，５５，５６を覆っている。はんだレジスト４３は、第１導電接合部材７１ａ、第２導電接合部材７１ｂ、第３導電接合部材７１ｃ及び第４導電接合部材７１ｄが設けられる部分とビアホール６０，６１，６２，６３とを除いて、第２基材４１の第４主面４１ｂ、第２電源配線４６及び第２接地配線４９を覆っている。
【００２６】
第２基材４１は、電気的絶縁性を有している。第２基材４１は、例えば、ガラスエポキシ基材またはガラスコンポジット基材であってもよい。第２配線基板４０は、例えば、両面銅張積層プリント基板である。配線（第３信号配線４７、第４信号配線４８、第２電源配線４６、第２接地配線４９、配線５０，５１，５２，５４，５５，５６）並びにパッド（導電パッド５３、第１導電パッド５７ａ、第２導電パッド５７ｂ、第３導電パッド５７ｃ、第４導電パッド５７ｄ）は、第２基材４１に貼り付けられている。
【００２７】
第２基材４１は、第３主面４１ａと、第３主面４１ａとは反対側の第４主面４１ｂと、第１側部４１ｃと、第１側部４１ｃに対向する第２側部４１ｄとを含む。第３主面４１ａ及び第４主面４１ｂは、各々、第１方向（ｘ方向）と、第１方向及び第２方向（ｙ方向）に垂直な第３方向（ｚ方向）とに延在している。第４主面４１ｂは、第１基材２１の端面２１ｃに面している。第１側部４１ｃと第２側部４１ｄとは、各々、第３主面４１ａと第４主面４１ｂとを接続している。第１側部４１ｃと第２側部４１ｄとは、各々、第１方向（ｘ方向）と第２方向（ｙ方向）とに延在している。
【００２８】
第２基材４１には、第３主面４１ａから第４主面４１ｂまで延在するスリット４４が設けられている。スリット４４は、第１側部４１ｃと第２側部４１ｄとの間に設けられている。スリット４４は、第１方向（ｘ方向）に細長い貫通孔である。スリット４４は、第１側部４１ｃ及び第２側部４１ｄに沿って延在している。第１基材２１の第１突出部分２１ｇは、スリット４４に挿入されている。第１基材２１の第１突出部分２１ｇは、第２基材４１を貫通してもよい。スリット４４は、第１方向（ｘ方向）及び第３方向（ｚ方向）において、第１基材２１と第２基材４１とを互いに位置決めしている。
【００２９】
スリット４４は、第１縁４４ａと、第２縁４４ｂと、第３縁４４ｃと、第４縁４４ｄとを含む。第１縁４４ａは、第２側部４１ｄ及び第１主面２１ａに対向している。第１縁４４ａは、主に、第１方向（ｘ方向）に延在している。第２縁４４ｂは、第１側部４１ｃ及び第２主面２１ｂに対向している。第２縁４４ｂは、第１縁４４ａに対向している。第２縁４４ｂは、主に、第１方向（ｘ方向）に延在している。第３縁４４ｃは、第１縁４４ａと第２縁４４ｂとを接続している。第３縁４４ｃは、主に、第３方向（ｚ方向）に延在している。第４縁４４ｄは、第１縁４４ａと第２縁４４ｂとを接続しており、かつ、第３縁４４ｃに対向している。第４縁４４ｄは、主に、第３方向（ｚ方向）に延在している。スリット４４は、第１側部４１ｃよりも第２側部４１ｄに近位する第２基材４１の領域に形成されてもよい。
【００３０】
電子回路４は、第２配線基板４０上に搭載されている。電子回路４は、第１側部４１ｃとスリット４４（特定的には、第２縁４４ｂ）との間に配置されている。電子回路４は、導電接合部材６６を用いて、第３信号配線４７と、第４信号配線４８と、導電パッド５３と、配線５４，５５，５６とに接合されている。導電接合部材６６は、例えば、はんだである。
【００３１】
第３信号配線４７は、第３主面４１ａ上に設けられている。第３信号配線４７は、第２側部４１ｄとスリット４４（特定的には、第１縁４４ａ）との間に設けられている第３信号パッド４７ｐを含む。第３信号パッド４７ｐは、第３信号配線４７のうち第１導電接合部材７１ａが設けられる部分である。第３信号配線４７は、スリット４４の第３縁４４ｃを迂回して、電子回路４から第３信号パッド４７ｐまで延在している。第３信号パッド４７ｐは、第３信号パッド４７ｐに接続される第３信号配線４７の部分よりも、広い幅を有してもよい。
【００３２】
第４信号配線４８は、第３主面４１ａ上に設けられている。第４信号配線４８は、第２側部４１ｄとスリット４４（特定的には、第１縁４４ａ）との間に設けられている第４信号パッド４８ｐを含む。第４信号パッド４８ｐは、第４信号配線４８のうち第２導電接合部材７１ｂが設けられる部分である。第４信号配線４８は、スリット４４の第４縁４４ｄを迂回して、電子回路４から第４信号パッド４８ｐまで延在している。第４信号パッド４８ｐは、第４信号パッド４８ｐに接続される第４信号配線４８の部分よりも、広い幅を有してもよい。
【００３３】
第３信号パッド４７ｐ及び第４信号パッド４８ｐは、スリット４４の第１縁４４ａに沿って配列されている。第３信号パッド４７ｐは、スリット４４の第３縁４４ｃに近位している。第４信号パッド４８ｐは、スリット４４の第４縁４４ｄに近位している。
【００３４】
第２電源配線４６は、第４主面４１ｂ上に設けられている。第２電源配線４６は、第２側部４１ｄとスリット４４（特定的には、第１縁４４ａ）との間に設けられている第２電源パッド４６ｐを含む。第２電源パッド４６ｐは、第２電源配線４６のうち第３導電接合部材７１ｃが設けられる部分である。第２電源配線４６は、電子回路４に電気的に接続されている。具体的には、第２電源配線４６は、ビアホール６２と配線５２とを介して、電子回路４に電気的に接続されている。第２電源配線４６は、スリット４４の第３縁４４ｃを迂回して、ビアホール６２から第２電源パッド４６ｐまで延在している。第２電源パッド４６ｐは、第２電源パッド４６ｐに接続される第２電源配線４６の部分よりも、広い幅を有してもよい。
【００３５】
第２接地配線４９は、第４主面４１ｂ上に設けられている。第２接地配線４９は、第２側部４１ｄとスリット４４（特定的には、第１縁４４ａ）との間に設けられている第２接地パッド４９ｐを含む。第２接地パッド４９ｐは、第２接地配線４９のうち第４導電接合部材７１ｄが設けられる部分である。第２接地配線４９は、電子回路４に電気的に接続されている。具体的には、第２接地配線４９は、ビアホール６３と配線５４とを介して、電子回路４に電気的に接続されている。第２接地配線４９は、スリット４４の第４縁４４ｄを迂回して、ビアホール６３から第２接地パッド４９ｐまで延在している。第２接地パッド４９ｐは、第２接地パッド４９ｐに接続される第２接地配線４９の部分よりも、広い幅を有してもよい。
【００３６】
第２電源パッド４６ｐ及び第２接地パッド４９ｐは、スリット４４の第１縁４４ａに沿って配列されている。第２電源パッド４６ｐは、スリット４４の第３縁４４ｃに近位している。第２接地パッド４９ｐは、スリット４４の第４縁４４ｄに近位している。
【００３７】
配線５０は、ビアホール６０を介して、第２電源配線４６に電気的に接続されている。配線５１は、ビアホール６１を介して、第２接地配線４９に電気的に接続されている。抵抗８ａは、導電接合部材６６を用いて、第３信号配線４７と配線５０とに接合されている。抵抗８ｂは、導電接合部材６６を用いて、第４信号配線４８と配線５０とに接合されている。コンデンサ９ａは、導電接合部材６６を用いて、第３信号配線４７と配線５１とに接合されている。コンデンサ９ｂは、導電接合部材６６を用いて、第４信号配線４８と配線５１とに接合されている。コンデンサ９ｃ，９ｄは、導電接合部材６６を用いて、配線５０と配線５１とに接合されている。ＬＥＤ５は、導電接合部材６６を用いて、配線５５と配線５６とに接合されている。
【００３８】
図２、図３及び図６に示されるように、第１導電接合部材７１ａは、第１信号配線２４の第１信号パッド２４ｐと第３信号配線４７の第３信号パッド４７ｐとを互いに接合している。第２導電接合部材７１ｂは、第２信号配線２５の第２信号パッド２５ｐと第４信号配線４８の第４信号パッド４８ｐとを互いに接合している。
【００３９】
図３及び図７に示されるように、第３導電接合部材７１ｃは、第１電源配線２３の第１電源パッド２３ｐと第２電源配線４６の第２電源パッド４６ｐとを互いに接合している。第４導電接合部材７１ｄは、第１接地配線２６の第１接地パッド２６ｐと第２接地配線４９の第２接地パッド４９ｐとを互いに接合している。
【００４０】
図２、図３、図５及び図６に示されるように、第１導電パッド５７ａは、第４主面４１ｂ上に設けられており、かつ、第３信号パッド４７ｐに対向している。図２、図３及び図５に示されるように、第２導電パッド５７ｂは、第４主面４１ｂ上に設けられており、かつ、第４信号パッド４８ｐに対向している。第１導電パッド５７ａ及び第２導電パッド５７ｂは、スリット４４の第１縁４４ａに沿って配列されている。第１導電パッド５７ａは、スリット４４の第３縁４４ｃに近位している。第２導電パッド５７ｂは、スリット４４の第４縁４４ｄに近位している。第１導電パッド５７ａ及び第２導電パッド５７ｂは、第２電源パッド４６ｐと第２接地パッド４９ｐとの間に配置されている。第１導電接合部材７１ａは、さらに、第１信号配線２４の第１信号パッド２４ｐと第１導電パッド５７ａとを互いに接合している。第２導電接合部材７１ｂは、さらに、第２信号配線２５の第２信号パッド２５ｐと第２導電パッド５７ｂとを互いに接合している。
【００４１】
図２及び図４に示されるように、第３導電パッド５７ｃは、第３主面４１ａ上に設けられており、かつ、第２電源パッド４６ｐに対向している。図２、図４及び図７に示されるように、第４導電パッド５７ｄは、第３主面４１ａ上に設けられており、かつ、第２接地パッド４９ｐに対向している。第３導電パッド５７ｃ及び第４導電パッド５７ｄは、スリット４４の第１縁４４ａに沿って配列されている。第３導電パッド５７ｃは、スリット４４の第３縁４４ｃに近位している。第４導電パッド５７ｄは、スリット４４の第４縁４４ｄに近位している。第３信号パッド４７ｐ及び第４信号パッド４８ｐは、第３導電パッド５７ｃと第４導電パッド５７ｄとの間に配置されている。第３導電接合部材７１ｃは、さらに、第１電源配線２３の第１電源パッド２３ｐと第３導電パッド５７ｃとを互いに接合している。第４導電接合部材７１ｄは、さらに、第１接地配線２６の第１接地パッド２６ｐと第４導電パッド５７ｄとを互いに接合している。
【００４２】
図２及び図４に示されるように、第３信号配線４７は、第３導電パッド５７ｃをさらに迂回している。第４信号配線４８は、第４導電パッド５７ｄをさらに迂回している。
【００４３】
第１信号配線２４と、第１導電接合部材７１ａと、第３信号配線４７とは、信号配線１２ａ（図１を参照）に対応している。第２信号配線２５と、第２導電接合部材７１ｂと、第４信号配線４８とは、信号配線１２ｂ（図１を参照）に対応している。第１電源配線２３と、第３導電接合部材７１ｃと、第２電源配線４６と、ビアホール６２と、配線５２とは、電源配線１０（図１を参照）に対応している。第１接地配線２６と、第４導電接合部材７１ｄと、第２接地配線４９と、ビアホール６３と、配線５４とは、接地配線１１（図１を参照）に対応している。配線５６は、配線１４（図１を参照）に対応している。配線５５は、配線１５（図１を参照）に対応している。
【００４４】
図８及び図９を参照して、実施の形態１のプリント配線装置１の製造方法を説明する。
図８を参照して、本実施の形態のプリント配線装置１の製造方法は、第１配線基板２０と、第２配線基板４０とを準備することを備える。第１配線基板２０を準備することは、第１配線基板２０に、導電接合部材３２を用いて、コントローラ３を接合することを含む。第２配線基板４０を準備することは、第２配線基板４０に、導電接合部材６６を用いて、電子回路４と、ＬＥＤ５と、抵抗８ａ，８ｂと、コンデンサ９ａ，９ｂ，９ｃ，９ｄとを接合することを含む。
【００４５】
図８を参照して、本実施の形態のプリント配線装置１の製造方法は、第１基材２１の第１突出部分２１ｇを、第２基材４１に設けられたスリット４４に挿入することを備える。特定的には、第１突出部分２１ｇは、第２基材４１を貫通してもよい。
【００４６】
図９を参照して、本実施の形態のプリント配線装置１の製造方法は、第１配線基板２０と第２配線基板４０とを互いに接合することを備える。具体的には、第１配線基板２０と第２配線基板４０とが交差する部分を、ノズル７２から噴流する溶融はんだ７３に浸漬して、第１導電接合部材７１ａ、第２導電接合部材７１ｂ、第３導電接合部材７１ｃ及び第４導電接合部材７１ｄを形成する。第１導電接合部材７１ａ、第２導電接合部材７１ｂ、第３導電接合部材７１ｃ及び第４導電接合部材７１ｄは、第１配線基板２０と第２配線基板４０とを互いに接合する。こうして、プリント配線装置１が得られる。
【００４７】
第１基材２１の第１突出部分２１ｇは第２基材４１に設けられたスリット４４に挿入されているため、溶融はんだ７３の噴流が第２基材４１に当たっても、第２基材４１が第１基材２１に対して＋ｚ方向に移動することが防止される。本実施の形態のプリント配線装置１の製造方法は、プリント配線装置１の生産性を向上させることができる。
【００４８】
本実施の形態の変形例では、第３主面４１ａが、第１基材２１の端面２１ｃに面してもよい。
【００４９】
本実施の形態のプリント配線装置１の効果を説明する。
本実施の形態のプリント配線装置１は、第１配線基板２０と、第２配線基板４０と、電子回路４と、電子回路４を制御するように構成されているコントローラ３と、第１導電接合部材７１ａと、第２導電接合部材７１ｂとを備える。第１配線基板２０は、第１基材２１と、第１信号配線２４と、第２信号配線２５とを含む。第１基材２１は、第１主面２１ａと、第１主面２１ａとは反対側の第２主面２１ｂと、第１主面２１ａと第２主面２１ｂとを接続する端面２１ｃとを含む。第１基材２１は、端面２１ｃから突出する第１突出部分２１ｇを含む。コントローラ３は、第１突出部分２１ｇを除く第１配線基板２０上に搭載されている。第１信号配線２４は、第１突出部分２１ｇ上に設けられている第１信号パッド２４ｐを含む。第１信号配線２４は、コントローラ３から第１信号パッド２４ｐまで延在している。第２信号配線２５は、第１突出部分２１ｇ上に設けられている第２信号パッド２５ｐを含む。第２信号配線２５は、コントローラ３から第２信号パッド２５ｐまで延在している。
【００５０】
第２配線基板４０は、第２基材４１と、第３信号配線４７と、第４信号配線４８とを含む。第２基材４１は、第３主面４１ａと、第３主面４１ａとは反対側の第４主面４１ｂと、第３主面４１ａと第４主面４１ｂとを接続する第１側部４１ｃと、第３主面４１ａと第４主面４１ｂとを接続し、かつ、第１側部４１ｃに対向する第２側部４１ｄとを含む。第２基材４１には、第３主面４１ａから第４主面４１ｂまで延在するスリット４４が設けられている。スリット４４は、第１側部４１ｃ及び第２側部４１ｄに沿って延在している。第１基材２１の第１突出部分２１ｇは、スリット４４に挿入されている。スリット４４は、第１縁４４ａと、第２縁４４ｂと、第３縁４４ｃと、第４縁４４ｄとを含む。第１縁４４ａは、第２側部４１ｄ及び第１主面２１ａに対向している。第２縁４４ｂは、第１側部４１ｃ及び第２主面２１ｂに対向している。第３縁４４ｃは、第１縁４４ａと第２縁４４ｂとを接続している。第４縁４４ｄは、第１縁４４ａと第２縁４４ｂとを接続しており、かつ、第３縁４４ｃに対向している。電子回路４は、第２配線基板４０上に搭載されている。電子回路４は、第１側部４１ｃとスリット４４（特定的には、第２縁４４ｂ）との間に配置されている。第３主面４１ａ及び第４主面４１ｂの一方は、第１基材２１の端面２１ｃに面している。
【００５１】
第３信号配線４７及び第４信号配線４８は、第３主面４１ａ上に設けられている。第３信号配線４７は、スリット４４の第１縁４４ａと第２基材４１の第２側部４１ｄとの間に設けられている第３信号パッド４７ｐを含む。第３信号配線４７は、スリット４４の第３縁４４ｃを迂回して、電子回路４から第３信号パッド４７ｐまで延在している。第４信号配線４８は、スリット４４の第１縁４４ａと第２基材４１の第２側部４１ｄとの間に設けられている第４信号パッド４８ｐを含む。第４信号配線４８は、スリット４４の第４縁４４ｄを迂回して、電子回路４から第４信号パッド４８ｐまで延在している。第１導電接合部材７１ａは、第１信号配線２４の第１信号パッド２４ｐと第３信号配線４７の第３信号パッド４７ｐとを互いに接合している。第２導電接合部材７１ｂは、第２信号配線２５の第２信号パッド２５ｐと第４信号配線４８の第４信号パッド４８ｐとを互いに接合している。
【００５２】
このように、本実施の形態では、第３信号パッド４７ｐと第４信号パッド４８ｐとは、ともに、スリット４４の第１縁４４ａと第２基材４１の第２側部４１ｄとの間に設けられている。第３信号配線４７はスリット４４の第３縁４４ｃを迂回し、第４信号配線４８は、第３縁４４ｃとは反対側のスリット４４の第４縁４４ｄを迂回している。そのため、第３信号配線４７の長さと第４信号配線４８の長さとの間の差が減少する。コントローラ３から電子回路４に至る第１信号経路（第１信号配線２４と、第１導電接合部材７１ａと、第３信号配線４７）の長さと、コントローラ３から電子回路４に至る第２信号経路（第２信号配線２５と、第２導電接合部材７１ｂと、第４信号配線４８）の長さとの間の差が減少する。
【００５３】
これに対し、比較例では、第３信号パッド４７ｐは、スリット４４の第１縁４４ａと第２基材４１の第２側部４１ｄとの間に設けられており、かつ、第３信号配線４７は、スリット４４を迂回しているのに対し、第４信号パッド４８ｐは、スリット４４の第２縁４４ｂと第２基材４１の第１側部４１ｃとの間に設けられており、かつ、第４信号配線４８は、スリット４４を迂回していない。そのため、第３信号配線４７の長さと第４信号配線４８の長さとの間の差が大きい。コントローラ３から電子回路４に至る第１信号経路（第１信号配線２４と、第１導電接合部材７１ａと、第３信号配線４７）の長さと、コントローラ３から電子回路４に至る第２信号経路（第２信号配線２５と、第２導電接合部材７１ｂと、第４信号配線４８）の長さとの間の差が大きい。
【００５４】
本実施の形態のプリント配線装置１では、第１信号配線２４及び第２信号配線２５は、第１主面２１ａ上に設けられている。第４主面４１ｂは、第１基材２１の端面２１ｃに面している。第１基材２１の第１突出部分２１ｇは、第２基材４１を貫通している。第１信号パッド２４ｐは、第３主面４１ａに面している。第２信号パッド２５ｐは、第３主面４１ａに面している。そのため、コントローラ３から電子回路４に至る第１信号経路（第１信号配線２４と、第１導電接合部材７１ａと、第３信号配線４７）の長さと、コントローラ３から電子回路４に至る第２信号経路（第２信号配線２５と、第２導電接合部材７１ｂと、第４信号配線４８）の長さとの間の差が減少する。
【００５５】
本実施の形態のプリント配線装置１では、第２配線基板４０は、第１導電パッド５７ａと、第２導電パッド５７ｂとを含む。第１導電パッド５７ａは、第４主面４１ｂ上に設けられており、かつ、第３信号パッド４７ｐに対向している。第２導電パッド５７ｂは、第４主面４１ｂ上に設けられており、かつ、第４信号パッド４８ｐに対向している。第１信号パッド２４ｐは、第４主面４１ｂにさらに面している。第２信号パッド２５ｐは、第４主面４１ｂにさらに面している。第１導電接合部材７１ａは、さらに、第１信号パッド２４ｐと第１導電パッド５７ａとを互いに接合している。第２導電接合部材７１ｂは、さらに、第２信号パッド２５ｐと第２導電パッド５７ｂとを互いに接合している。
【００５６】
このように、第２配線基板４０は、第２基材４１の両面（第３主面４１ａ及び第４主面４１ｂ）で、第１配線基板２０に接合されている。そのため、第２配線基板４０は、第１配線基板２０に、より強固に接合される。また、第２基材４１の第１側部４１ｃに−ｙ方向の力が作用しても、第１導電接合部材７１ａに接合されている第３信号配線４７の部分（第３信号パッド４７ｐ）と、第２導電接合部材７１ｂに接合されている第４信号配線４８の部分（第４信号パッド４８ｐ）とが、第２基材４１から剥がれることが防止され得る。
【００５７】
本実施の形態のプリント配線装置１は、第３導電接合部材７１ｃと、第４導電接合部材７１ｄとをさらに備える。第１配線基板２０は、第１電源配線２３と、第１接地配線２６とを含む。第１電源配線２３は、第１突出部分２１ｇ上に設けられており、かつ、第４主面４１ｂに面している第１電源パッド２３ｐを含む。第１電源配線２３は、コントローラ３から第１電源パッド２３ｐまで延在している。第１接地配線２６は、第１突出部分２１ｇ上に設けられており、かつ、第４主面４１ｂに面している第１接地パッド２６ｐを含む。第１接地配線２６は、コントローラ３から第１接地パッド２６ｐまで延在している。第２配線基板４０は、第２電源配線４６と、第２接地配線４９とを含む。第２電源配線４６及び第２接地配線４９は、第４主面４１ｂ上に設けられている。第２電源配線４６は、第２電源パッド４６ｐを含む。第２電源配線４６は、電子回路４から第２電源パッド４６ｐまで延在している。第２接地配線４９は、第２接地パッド４９ｐを含む。第２接地配線４９は、電子回路４から第２接地パッド４９ｐまで延在している。第３導電接合部材７１ｃは、第１電源配線２３の第１電源パッド２３ｐと第２電源配線４６の第２電源パッド４６ｐとを互いに接合している。第４導電接合部材７１ｄは、第１接地配線２６の第１接地パッド２６ｐと第２接地配線４９の第２接地パッド４９ｐとを互いに接合している。
【００５８】
このように、第２配線基板４０は、第２基材４１の両面（第３主面４１ａ及び第４主面４１ｂ）で、第１配線基板２０に接合されている。そのため、第２配線基板４０は、第１配線基板２０、より強固に接合される。また、第３信号配線４７及び第４信号配線４８は、第２電源配線４６及び第２接地配線４９が設けられている第４主面４１ｂとは反対側の第３主面４１ａ上に設けられている。そのため、第３信号配線４７及び第４信号配線４８が第２電源配線４６及び第２接地配線４９と電気的に干渉することが防止され得る。第２基材４１の第３主面４１ａ上における第３信号配線４７及び第４信号配線４８の配置の自由度が高まり、第３信号配線４７の長さと第４信号配線４８の長さとの間の差を容易に小さくすることができる。
【００５９】
本実施の形態のプリント配線装置１では、第１電源配線２３及び第１接地配線２６は、第１主面２１ａ上に設けられている。第２電源配線４６は、スリット４４の第３縁４４ｃを迂回して、電子回路４から第２電源パッド４６ｐまで延在している。第２接地配線４９は、スリット４４の第４縁４４ｄを迂回して、電子回路４から第２接地パッド４９ｐまで延在している。第２電源パッド４６ｐ及び第２接地パッド４９ｐは、スリット４４の第１縁４４ａに沿って配列されている。そのため、コントローラ３から電子回路４に至る第１信号経路（第１信号配線２４と、第１導電接合部材７１ａと、第３信号配線４７）の長さと、コントローラ３から電子回路４に至る第２信号経路（第２信号配線２５と、第２導電接合部材７１ｂと、第４信号配線４８）の長さとの間の差が減少する。
【００６０】
本実施の形態のプリント配線装置１では、第２配線基板４０は、第３導電パッド５７ｃと、第４導電パッド５７ｄとを含む。第３導電パッド５７ｃは、第３主面４１ａ上に設けられており、かつ、第２電源パッド４６ｐに対向している。第４導電パッド５７ｄは、第３主面４１ａ上に設けられており、かつ、第２接地パッド４９ｐに対向している。第１電源パッド２３ｐは、第３主面４１ａにさらに面している。第１接地パッド２６ｐは、第３主面４１ａにさらに面している。第３導電接合部材７１ｃは、さらに、第１電源パッド２３ｐと第３導電パッド５７ｃとを互いに接合している。第４導電接合部材７１ｄは、さらに、第１接地パッド２６ｐと第４導電パッド５７ｄとを互いに接合している。第３信号配線４７は、第３導電パッド５７ｃをさらに迂回している。第４信号配線４８は、第４導電パッド５７ｄをさらに迂回している。
【００６１】
このように、第２配線基板４０は、第２基材４１の両面（第３主面４１ａ及び第４主面４１ｂ）で、第１配線基板２０に接合されている。そのため、第２配線基板４０は、第１配線基板２０に、より強固に接合される。また、第２基材４１の第１側部４１ｃに＋ｙ方向の力が作用しても、第３導電接合部材７１ｃに接合されている第２電源配線４６の部分（第２電源パッド４６ｐ）と、第４導電接合部材７１ｄに接合されている第２接地配線４９の部分（第２接地パッド４９ｐ）とが第２基材４１から剥がれることが防止され得る。
【００６２】
実施の形態２．
図１０から図１５を参照して、実施の形態２に係るプリント配線装置１ｂを説明する。本実施の形態のプリント配線装置１ｂは、実施の形態１のプリント配線装置１と同様の構成を備えるが、主に以下の点で異なる。
【００６３】
第１電源配線２３の第１電源パッド２３ｐは、第４主面４１ｂにのみ面しており、第３主面４１ａに面していない。第１接地配線２６の第１接地パッド２６ｐは、第４主面４１ｂにのみ面しており、第３主面４１ａに面していない。そのため、第１突出部分２１ｇのサイズを減少させることができる。第１信号配線２４の第１信号パッド２４ｐは、第３主面４１ａにのみ面しており、第４主面４１ｂに面していない。第２信号配線２５の第２信号パッド２５ｐは、第３主面４１ａにのみ面しており、第４主面４１ｂに面していない。
【００６４】
プリント配線装置１ｂは、実施の形態１の第１導電パッド５７ａ、第２導電パッド５７ｂ、第３導電パッド５７ｃ及び第４導電パッド５７ｄを備えていない。第３信号配線４７及び第４信号配線４８は、スリット４４の第１縁４４ａに直接対向している。本明細書において、第３信号配線４７がスリット４４の第１縁４４ａに直接対向していることは、第３信号配線４７とスリット４４の第１縁４４ａとの間に、導電パッド及び配線のような導電部材が設けられていないことを意味する。第４信号配線４８がスリット４４の第１縁４４ａに直接対向していることは、第４信号配線４８とスリット４４の第１縁４４ａとの間に、導電パッド及び配線のような導電部材が設けられていないことを意味する。
【００６５】
そのため、第１基材２１の第１主面２１ａから−ｚ方向に延びる第２配線基板４０の長さが減少する。第２配線基板４０の第３方向（ｚ方向）の長さ（第１側部４１ｃと第２側部４１ｄとの間の長さ）を減少させることができる。本実施の形態のプリント配線装置１ｂは、実施の形態１のプリント配線装置１よりも小型化され得る。
【００６６】
第１導電接合部材７１ａは、第１信号パッド２４ｐと第３信号パッド４７ｐとを互いに接合している。第１導電接合部材７１ａは、第４主面４１ｂ上に設けられていない。第２導電接合部材７１ｂは、第２信号パッド２５ｐと第４信号パッド４８ｐとを互いに接合している。第２導電接合部材７１ｂは、第４主面４１ｂ上に設けられていない。第３導電接合部材７１ｃは、第１電源パッド２３ｐと第２電源パッド４６ｐとを互いに接合している。第３導電接合部材７１ｃは、第３主面４１ａ上に設けられていない。第４導電接合部材７１ｄは、第１接地パッド２６ｐと第２接地パッド４９ｐとを互いに接合している。第４導電接合部材７１ｄは、第３主面４１ａ上に設けられていない。
【００６７】
本実施の形態に係るプリント配線装置１ｂの製造方法は、実施の形態１のプリント配線装置１の製造方法と同様の工程を備えている。本実施の形態のプリント配線装置１ｂでは、第１基材２１の第１主面２１ａから−ｚ方向に延びる第２配線基板４０の長さが減少する。そのため、溶融はんだ（図９を参照）は、第１信号パッド２４ｐ、第２信号パッド２５ｐ、第３信号パッド４７ｐ及び第４信号パッド４８ｐに、容易に供給され得る。溶融はんだ（図９を参照）は、第１電源パッド２３ｐ、第１接地パッド２６ｐ、第２電源パッド４６ｐ及び第２接地パッド４９ｐに、容易に供給され得る。そのため、プリント配線装置１ｂの生産性が改善され得る。
【００６８】
本実施の形態のプリント配線装置１ｂの効果を説明する。本実施の形態のプリント配線装置１ｂは、実施の形態１のプリント配線装置１の効果に加えて、以下の効果を奏する。本実施の形態のプリント配線装置１ｂでは、第３信号配線４７及び第４信号配線４８は、スリット４４の第１縁４４ａに直接対向している。本実施の形態のプリント配線装置１ｂは、実施の形態１のプリント配線装置１よりも小型化され得る。
【００６９】
実施の形態３．
図１６及び図１７を参照して、実施の形態３に係るプリント配線装置１ｃを説明する。本実施の形態のプリント配線装置１ｃは、実施の形態２のプリント配線装置１ｂと同様の構成を備えるが、主に以下の点で異なる。
【００７０】
プリント配線装置１ｃでは、第１基材２１は、第２突出部分２１ｊと、第３突出部分２１ｋとをさらに含む。第２突出部分２１ｊ及び第３突出部分２１ｋは、端面２１ｃから突出している。第２突出部分２１ｊ及び第３突出部分２１ｋは、第１突出部分２１ｇから離れている。第１突出部分２１ｇは、第２突出部分２１ｊと第３突出部分２１ｋとの間にある。第２突出部分２１ｊは、第１突出部分２１ｇに面する第３側部２１ｍを含む。第３突出部分２１ｋは、第１突出部分２１ｇに面する第４側部２１ｎを含む。
【００７１】
第２突出部分２１ｊは、第３側部２１ｍに第１係止部２１ｐを含む。第３突出部分２１ｋは、第４側部２１ｎに第２係止部２１ｑを含む。第１係止部２１ｐ及び第２係止部２１ｑは、第２配線基板４０に係合して、第１突出部分２１ｇが端面２１ｃから突出する方向（ｙ方向）において、第１配線基板２０に対して第２配線基板４０を位置決めしている。第３側部２１ｍに第１窪み部２１ｒが設けられ、端面２１ｃから遠位する第１窪み部２１ｒの端部に第１係止部２１ｐが設けられてもよい。第４側部２１ｎに第２窪み部２１ｓが設けられ、端面２１ｃから遠位する第２窪み部２１ｓの端部に第２係止部２１ｑが設けられてもよい。
【００７２】
本実施の形態に係るプリント配線装置１ｃの製造方法は、実施の形態１のプリント配線装置１の製造方法と同様の工程を備えているが、以下の点で主に異なっている。
【００７３】
本実施の形態のプリント配線装置１ｃの製造方法では、第１基材２１の第１突出部分２１ｇを第２基材４１に設けられたスリット４４に挿入すると、第１係止部２１ｐ及び第２係止部２１ｑは、第２方向（ｙ方向）において、第２基材４１を第１基材２１に対して位置決めしかつ固定する。スリット４４は、第１方向（ｘ方向）及び第３方向（ｚ方向）において、第２基材４１を第１基材２１に対して位置決めしかつ固定する。そのため、溶融はんだ７３（図９を参照）を第１配線基板２０及び第２配線基板４０に接触させる際に、第１基材２１及び第２基材４１の一方だけを支持すれば足りる。プリント配線装置１ｃの生産性が向上し得る。
【００７４】
本実施の形態のプリント配線装置１ｃの効果を説明する。本実施の形態のプリント配線装置１ｃは、実施の形態２のプリント配線装置１ｂの効果に加えて、以下の効果を奏する。
【００７５】
本実施の形態のプリント配線装置１ｃでは、第１基材２１は、端面２１ｃから突出している第２突出部分２１ｊ及び第３突出部分２１ｋをさらに含む。第２突出部分２１ｊ及び第３突出部分２１ｋは、第１突出部分２１ｇから離れている。第１突出部分２１ｇは、第２突出部分２１ｊと第３突出部分２１ｋとの間にある。第２突出部分２１ｊは、第１突出部分２１ｇに面する第３側部２１ｍを含む。第３突出部分２１ｋは、第１突出部分２１ｇに面する第４側部２１ｎを含む。第２突出部分２１ｊは、第３側部２１ｍに第１係止部２１ｐを含む。第３突出部分２１ｋは、第４側部２１ｎに第２係止部２１ｑを含む。第１係止部２１ｐ及び第２係止部２１ｑは、第２配線基板４０に係合して、第１突出部分２１ｇが端面２１ｃから突出する方向（ｙ方向）において、第１配線基板２０に対して第２配線基板４０を位置決めしている。そのため、第２配線基板４０は、第１配線基板２０に、より強固に固定される。
【００７６】
今回開示された実施の形態１−３はすべての点で例示であって制限的なものではないと考えられるべきである。矛盾のない限り、今回開示された実施の形態１−３の少なくとも２つを組み合わせてもよい。本発明の範囲は、上記した説明ではなく特許請求の範囲によって示され、特許請求の範囲と均等の意味および範囲内でのすべての変更が含まれることを意図される。
【符号の説明】
【００７７】
１，１ｂ，１ｃ  プリント配線装置、３  コントローラ、４  電子回路、５  発光ダイオード（ＬＥＤ）、６  電源、７  接地、８ａ，８ｂ  抵抗、９ａ，９ｂ，９ｃ，９ｄ  コンデンサ、１０  電源配線、１１  接地配線、１２ａ，１２ｂ  信号配線、１４，１５，２７，２８，２９，３０，５０，５１，５２，５４，５５，５６  配線、２０  第１配線基板、２１  第１基材、２１ａ  第１主面、２１ｂ  第２主面、２１ｃ  端面、２１ｇ  第１突出部分、２１ｊ  第２突出部分、２１ｋ  第３突出部分、２１ｍ  第３側部、２１ｎ  第４側部、２１ｐ  第１係止部、２１ｑ  第２係止部、２１ｒ  第１窪み部、２１ｓ  第２窪み部、２２，４２，４３  はんだレジスト、２３  第１電源配線、２３ｐ  第１電源パッド、２４  第１信号配線、２４ｐ  第１信号パッド、２５  第２信号配線、２５ｐ  第２信号パッド、２６  第１接地配線、２６ｐ  第１接地パッド、３２，６６  導電接合部材、４０  第２配線基板、４１  第２基材、４１ａ  第３主面、４１ｂ  第４主面、４１ｃ  第１側部、４１ｄ  第２側部、４４  スリット、４４ａ  第１縁、４４ｂ  第２縁、４４ｃ  第３縁、４４ｄ  第４縁、４６  第２電源配線、４６ｐ  第２電源パッド、４７  第３信号配線、４７ｐ  第３信号パッド、４８  第４信号配線、４８ｐ  第４信号パッド、４９  第２接地配線、４９ｐ  第２接地パッド、５３  導電パッド、５７ａ  第１導電パッド、５７ｂ  第２導電パッド、５７ｃ  第３導電パッド、５７ｄ  第４導電パッド、６０，６１，６２，６３  ビアホール、７１ａ  第１導電接合部材、７１ｂ  第２導電接合部材、７１ｃ  第３導電接合部材、７１ｄ  第４導電接合部材、７２  ノズル、７３  溶融はんだ。 
【図１】
2020150042.tif 000003
【図２】
2020150042.tif 000004
【図３】
2020150042.tif 000005
【図４】
2020150042.tif 000006
【図５】
2020150042.tif 000007
【図６】
2020150042.tif 000008
【図７】
2020150042.tif 000009
【図８】
2020150042.tif 000010
【図９】
2020150042.tif 000011
【図１０】
2020150042.tif 000012
【図１１】
2020150042.tif 000013
【図１２】
2020150042.tif 000014
【図１３】
2020150042.tif 000015
【図１４】
2020150042.tif 000016
【図１５】
2020150042.tif 000017
【図１６】
2020150042.tif 000018
【図１７】
2020150042.tif 000019